(57)【要約】【課題】薬液の送出量の精度を向上できる薬液ポンプおよび薬液投与装置を提供すること。【解決手段】薬液ポンプ５は、薬液が流入する薬液流入路５１と、薬液が送出される薬液送出路５２と、薬液流入路５１と薬液送出路５２とを接続する接続路５３と、接続路５３の途中に設けられ、当該接続路５３に連通するシリンダ５４と、シリンダ５４内に摺動自在に設けられたピストン５５と、薬液流入路５１と接続路５３との間に設けられ、接続路５３から薬液流入路５１への薬液の逆流を防止する第１逆止弁５６と、薬液送出路５２と接続路５３との間に設けられ、薬液送出路５２から接続路５３への薬液の逆流を防止する第２逆止弁５７とを備え、各逆止弁５６、５７の少なくとも一方は、傘部を有する傘状弁であり、傘状弁の弁座７１１、７３１には、傘部の下面に臨む突状部が設けられている。【選択図】図６
2014200352.tif 000002
【特許請求の範囲】
【請求項１】
薬液が流入する薬液流入路と、
前記薬液が送出される薬液送出路と、
前記薬液流入路と前記薬液送出路とを接続する接続路と、
前記接続路の途中に設けられ、当該接続路に連通するシリンダと、
前記シリンダ内に摺動自在に設けられたピストンと、
前記薬液流入路と前記接続路との間に設けられ、前記接続路から前記薬液流入路への前記薬液の逆流を防止する第１逆止弁と、
前記薬液送出路と前記接続路との間に設けられ、前記薬液送出路から前記接続路への薬液の逆流を防止する第２逆止弁とを備え、
前記第１逆止弁および前記第２逆止弁の少なくとも一方は、傘部を有する傘状弁であり、
前記傘状弁の弁座には、前記傘部の下面に臨む突状部が設けられていることを特徴とする薬液ポンプ。
【請求項２】
請求項１に記載の薬液ポンプにおいて、
前記突状部は、前記傘部の下面に倣う傾斜面を有していることを特徴とする薬液ポンプ。
【請求項３】
請求項１または請求項２に記載の薬液ポンプにおいて、
前記突状部は、前記傘部に沿って環状に形成されていることを特徴とする薬液ポンプ。
【請求項４】
薬液を収容する薬液容器と、
請求項１から請求項３のいずれかに記載の薬液ポンプと、
使用者の皮膚に穿刺される穿刺部材とを備え、
前記薬液ポンプは、前記薬液容器内の薬液を前記穿刺部材に送出することを特徴とする薬液投与装置。
【発明の詳細な説明】
【技術分野】
【０００１】
本発明は、薬液ポンプおよび薬液投与装置に関する。
【背景技術】
【０００２】
従来、インスリン等の薬液を使用者の体内に投与する薬液投与装置として、ポンプで所定量の薬液を送出し、当該薬液を継続的に体内に投与するものが知られている（例えば、特許文献１参照）。
特許文献１に記載の装置は、薬液を収容するリザーバーと、リザーバーの流出口からカニューレに薬液を導く可撓性の導管と、導管内の薬液を送出するための手動の蠕動ポンプ（薬液ポンプ）とを備え、使用者が押しボタンを押すたびに導管が蠕動ポンプで締め付けられ、所定量の薬液が送出されるように構成されている。
【先行技術文献】
【特許文献】
【０００３】
【特許文献１】特表２０１０−５０２３６４号公報
【発明の概要】
【発明が解決しようとする課題】
【０００４】
しかしながら、特許文献１に記載されたような従来の装置では、可撓管を挟んで設けられた一対の加圧部材を押しボタンで押しこむことにより、当該加圧部材で可撓管を締め付けて薬液を送出する。このため、押しボタンの押圧力や押圧速度によって薬液の送出量がばらついてしまうという問題がある。
【０００５】
本発明の目的は、薬液の送出量の精度を向上することができる薬液ポンプおよび薬液投与装置を提供することにある。
【課題を解決するための手段】
【０００６】
本発明の薬液ポンプは、薬液が流入する薬液流入路と、前記薬液が送出される薬液送出路と、前記薬液流入路と前記薬液送出路とを接続する接続路と、前記接続路の途中に設けられ、当該接続路に連通するシリンダと、前記シリンダ内に摺動自在に設けられたピストンと、前記薬液流入路と前記接続路との間に設けられ、前記接続路から前記薬液流入路への薬液の逆流を防止する第１逆止弁と、前記薬液送出路と前記接続路との間に設けられ、前記薬液送出路から前記接続路への薬液の逆流を防止する第２逆止弁とを備え、前記第１逆止弁および前記第２逆止弁の少なくとも一方は、傘部を有する傘状弁であり、前記傘状弁の弁座には、前記傘部の下面に臨む突状部が設けられていることを特徴とする。
【０００７】
本発明によれば、第１逆止弁と第２逆止弁とで区画された接続路に連通するシリンダ内にピストンを摺動自在に設け、当該ピストンを移動させることで薬液を送出するため、ピストンの移動量だけ薬液を送出することができる。また、第１逆止弁および第２逆止弁の少なくとも一方を傘状弁とし、その弁座に傘部の下面に臨む突状部を設けたため、傘部と弁座との間のデッドボリュームを低減することができる。従って、薬液ポンプからの薬液の送出量の精度を向上させることができる。
【０００８】
本発明の薬液ポンプにおいて、前記突状部は、前記傘部の下面に倣う傾斜面を有していることが好ましい。
本発明によれば、突状部が傘部の下面に倣う傾斜面を有しているため、径方向に渡って突状部に傘部を当接させることができ、傘部と弁座との間のデッドボリュームをより低減することができる。
【０００９】
本発明の薬液ポンプにおいて、前記突状部は、前記傘部に沿って環状に形成されていることが好ましい。
本発明によれば、突状部が環状に形成されているため、周方向に渡って突状部に傘部を当接させることができ、傘部と弁座との間のデッドボリュームをさらに低減することができる。
【００１０】
本発明の薬液投与装置は、薬液を収容する薬液容器と、前述した本発明の薬液ポンプと、使用者の皮膚に穿刺される穿刺部材とを備え、前記薬液ポンプは、前記薬液容器内の薬液を前記穿刺部材に送出することを特徴とする。
本発明によれば、前述した薬液ポンプの効果を奏する薬液投与装置を得ることができる。
【図面の簡単な説明】
【００１１】
【図１】本発明の一実施形態に係る薬液投与装置を示す分解斜視図。
【図２】薬液容器の分解斜視図。
【図３】薬液容器を下方から示す斜視図。
【図４】薬液容器の断面斜視図。
【図５】薬液容器の送液部の斜視図。
【図６】薬液ポンプの平面図。
【図７】（Ａ）は薬液ポンプの傘状弁の平面図。（Ｂ）は傘状弁の側面図。
【図８】（Ａ）および（Ｂ）は傘状弁の断面図。
【図９】薬液充填時の薬液容器の作用を説明するための断面図。
【図１０】薬液送出時の薬液容器の作用を説明するための断面図。
【図１１】本発明の変形例に係る傘状弁の断面図。
【発明を実施するための形態】
【００１２】
以下、本発明の一実施形態を図面に基づいて説明する。
図１において、薬液投与装置１は、筐体２と、使用者の皮膚に針やカテーテル等を穿刺する穿刺部３と、薬液を収容する薬液容器４と、薬液容器４内の薬液を穿刺部３に送出する薬液ポンプ５と、薬液ポンプ５の動作を制御する制御部６とを備えている。
【００１３】
筐体２は、上部が開口した下筐体２１と、下筐体２１の開口を塞ぐ上筐体２２とを備えている。下筐体２１の開口内には、下筐体２１と上筐体２２とにより空間が形成され、当該空間内に、穿刺部３、薬液容器４、薬液ポンプ５、および制御部６が収容されている。このように、筐体２内に一式を収容することで、薬液投与装置１を小型かつ携帯可能に構成している。下筐体２１の下面には、両面テープ等の貼付部材が設けられ、当該貼付部材により筐体２を使用者の皮膚に貼付可能となっている。
【００１４】
穿刺部３は、押込部材３１と、図示しない針やカテーテルの穿刺部材とを備え、押込部材３１で穿刺部材を押し込むことで、当該穿刺部材を下筐体２１の裏面から使用者の皮膚に穿刺可能となっている。
【００１５】
薬液容器４は、図２から図５に示すように、変形可能な軟質部４１と、所定の形状を有し、軟質部４１とともに薬液収容空間４０を形成する硬質部４２と、軟質部４１を挟んで硬質部４２の反対側に設けられ、軟質部４１を覆うカバー部４３と、薬液収容空間４０から薬液が流出する流出口４４１を有する送液部４４と、薬液容器４に規定量を超える薬液が充填されたときに軟質部４１が及ぶ位置に設けられ、軟質部４１の当接により薬液の過充填を検知する過充填検知部４５と、薬液容器４に規定量の薬液が充填されたときに軟質部４１が及ぶ位置に設けられ、軟質部４１の当接により薬液の満充填を検知する満充填検知部４６とを備えている。この薬液容器４は、硬質部４２が下筐体２１側に向いた状態で筐体２内に収容されている。
【００１６】
軟質部４１は、親水性を有する材料、例えば、ポリエチレン、より好ましくは高密度ポリエチレン（ハイデンポリエチレンとも称する）で形成された薄膜であり、例えば、３０〜５０μｍの厚さに形成されている。この軟質部４１は、袋状に形成され、薬液の増減に合わせて薬液収容空間４０の容積を追従可能な追従部４１１と、追従部４１１に沿って形成され、硬質部４２とカバー部４３とで挟持される平面状の外縁部４１２とを備えている。
【００１７】
硬質部４２は、ポリエチレン等の親水性を有する材料、好ましくは軟質部４１と同じ材料で形成された所定形状の硬質部材で構成されている。この硬質部４２は、軟質部４１の追従部４１１と同程度の大きさおよび同程度の深さを有する凹部４２１を有している。凹部４２１の底面４２２には、円錐状に窪んで形成され、薬液収容空間４０から離間する方向に傾斜した傾斜面４２８を有する窪み４２３と、窪み４２３の底部に設けられ、送液部４４が嵌合する嵌合孔４２４とが設けられている。凹部４２１の側面４２５は、対向する側面４２５との間隔が底面４２２に向かうに従って狭くなる曲面状に形成されている。この側面４２５の底面４２２近傍には、薬液収容空間４０に薬液を充填するための充填口４２６が設けられている。このような位置に充填口４２６を設けることにより、充填口４２６が薬液収容空間４０に対して流出口４４１と同じ側に位置するとともに、充填口４２６を上方に向けたときに、充填口４２６が流出口４４１よりも下方に位置することになる。また、硬質部４２に流出口４４１および充填口４２６を設けることで、このような位置関係を確実に規定することができる。充填口４２６は、ゴムや樹脂等の弾性部材で構成されたキャップ４２７で封止されている。
【００１８】
カバー部４３は、ポリエチレン等の親水性を有する材料、好ましくは軟質部４１と同じ材料で形成された所定形状の硬質部材で構成され、軟質部４１を保護可能に設けられている。このカバー部４３は、軟質部４１の追従部４１１と同程度の大きさおよび同程度の深さを有する凹部４３１を有している。この凹部４３１は、薬液容器４に規定量の薬液が充填されたときの軟質部４１の形状に倣って形成され、薬液容器４に規定量の薬液が充填されたときに、当接面としての底面４３２および当接面としての側面４３５に軟質部４１が当接するように形成されている。凹部４３１の底面４３２には、軟質部４１側に開口し、２つの電極としての第１電極４５１を収容する第１電極収容部４３３が設けられている。凹部４３１の側面４３５は、対向する側面４３５との間隔が底面４３２に向かうに従って狭くなる曲面状に形成されている。この側面４３５の底面４３２近傍には、軟質部４１側に開口し、それぞれ２つの第２電極４６１を収容する第２電極収容部４３４が２箇所に設けられている。
【００１９】
送液部４４は、親水性を有する材料、好ましくはポリエチレンで形成され、硬質部４２に設けられている。この送液部４４は、流出口４４１と、流出口４４１の周囲に設けられ、薬液収容空間４０に向けて突出した複数の突出部４４２とを備えている。
【００２０】
過充填検知部４５は、第１電極４５１と、軟質部４１に設けられた第１電極パッド４５２とを備えている。この過充填検知部４５は、薬液の充填に伴い軟質部４１が変形して第１電極パッド４５２と第１電極４５１とが当接することで過充填を検知可能に構成されている。第１電極４５１は、薬液容器４に規定量を超える薬液が充填されたときの第１電極パッド４５２の軌跡上であって、薬液が過充填されたときに軟質部４１が及ぶ位置に設けられている。また、第１電極４５１は、第１電極収容部４３３に収容され、第１電極パッド４５２との当接部である先端が第１電極収容部４３３内に入り込んでいる。第１電極パッド４５２は、薄膜状に形成され、軟質部４１の変形に合わせて変形可能とされている。
【００２１】
満充填検知部４６は、第２電極４６１と、軟質部４１に設けられた第２電極パッド４６２とを備え、薬液の充填に伴い軟質部４１が変形して第２電極パッド４６２と第２電極４６１とが当接することで満充填を検知可能に構成されている。第２電極４６１は、薬液容器４に規定量の薬液が充填されたときの第２電極パッド４６２の位置、すなわち薬液が満充填されたときに軟質部４１が及ぶ位置に設けられている。各第２電極４６１は、先端が凹部４３１の形状に沿うように第２電極収容部４３４内に配置され、内側の第２電極４６１よりも外側の第２電極４６１の方が薬液収容空間側に突出している。第２電極パッド４６２は、薄膜状に形成され、軟質部４１の変形に合わせて変形可能とされている。
【００２２】
薬液ポンプ５は、図６に示すように、薬液が流入する薬液流入路５１と、薬液が送出される薬液送出路５２と、薬液流入路５１と薬液送出路５２とを接続する接続路５３と、接続路５３の途中に設けられ、当該接続路５３に連通するシリンダ５４と、シリンダ５４内に摺動自在に設けられたピストン５５と、薬液流入路５１と接続路５３との間に設けられ、接続路５３から薬液流入路５１への薬液の逆流を防止する第１逆止弁５６と、薬液送出路５２と接続路５３との間に設けられ、薬液送出路５２から接続路５３への薬液の逆流を防止する第２逆止弁５７と、前記ピストン５５を駆動する駆動部５８とを備えている。
【００２３】
薬液流入路５１、薬液送出路５２、接続路５３、シリンダ５４、第１逆止弁５６、および第２逆止弁５７は、所定量の薬液を送出可能に構成された送液ブロック７に設けられている。送液ブロック７は、第１接続管１１を介して薬液容器４に接続された流入側ブロック７１と、第２接続管１２を介して穿刺部３に接続された流出側ブロック７２と、流入側ブロック７１および流出側ブロック７２に挟まれたシリンダブロック７３とを備えている。
【００２４】
薬液流入路５１は、流入側ブロック７１に設けられている。流入側ブロック７１における薬液流入路５１と接続路５３との接続部分には、第１逆止弁５６の弁座としての第１弁座７１１が設けられている。
【００２５】
薬液送出路５２は、流出側ブロック７２に設けられている。流出側ブロック７２における薬液送出路５２と接続路５３との接続部分には、第２逆止弁５７を収容する第２収容空間７２０が設けられている。
【００２６】
接続路５３およびシリンダ５４は、シリンダブロック７３に設けられている。シリンダブロック７３における接続路５３と薬液流入路５１との接続部分には、第１逆止弁５６を収容する第１収容空間７３０が設けられている。シリンダブロック７３における接続路５３と薬液送出路５２との接続部分には、第２逆止弁５７の弁座としての第２弁座７３１が設けられている。
【００２７】
第１逆止弁５６は、図７および図８に示すように、軸部５６１と、軸部５６１の中程に設けられた傘部５６２とを備えた傘状弁（アンブレラバルブ）である。傘部５６２は、軸部５６１の外周面に沿った環状に形成されるとともに、当該外周面から軸部５６１の基端側に傾斜した形状とされている。この第１逆止弁５６は、例えば、シリコンゴムにより形成され、硬度がＨｓ３０〜７０（好ましくはＨｓ４０）、弾性係数が１〜２５ＭＰａ（好ましくは５ＭＰａ）、ポアソン比が０．５、密度が１．１２ｇ／ｃｍ３とされている。第１逆止弁５６は、軸部５６１の基端が第１弁座７１１に設けられた凹部７１２に挿入されるとともに、軸部５６１の先端がシリンダブロック７３に設けられた凹部７３２に挿入され、傘部５６２が第１弁座７１１に当接している。第１弁座７１１には、傘部５６２の下面５６３に臨む突状部７１３が設けられている。突状部７１３は、傘部５６２に沿って環状に形成されるとともに、傘部５６２の下面５６３に倣う傾斜面７１４を有している。すなわち、傾斜面７１４は、第１逆止弁５６が閉じたときに傘部５６２の下面５６３全体と当接するように形成されている。傾斜面７１４の傾斜角は、例えば、８°に形成されている。
【００２８】
第２逆止弁５７は、第１逆止弁５６と同様に構成され、第２弁座７３１は、第１弁座７１１と同様に構成されている。このため、第１逆止弁５６および第２弁座７３１については、第１逆止弁５６の構成の５６の記号を５７に置き換え、第１弁座７１１の構成の７１の記号を７３に置き換えることで説明ができるので、その説明を省略する。
【００２９】
駆動部５８は、回動モータ５８１と、回動モータ５８１の出力軸５８２に設けられた雄ねじ５８３と、出力軸５８２と平行にピストン５５を支持するとともに、雄ねじ５８３が螺合する雌ねじ５８４が形成された移動部材５８５とを備えている。
【００３０】
制御部６は、薬液ポンプ５を挟んで薬液容器４の反対側に設けられている。この制御部６は、ＣＰＵ（Central Processing Unit）等の制御装置と、ＲＯＭ（Read Only Memory）やＲＡＭ（Random Access Memory）等の記憶装置と、図示しない操作機器との間で情報の送受信を行う送受信装置と、これら装置が敷設された回路基板とを備えている。
【００３１】
次に、薬液投与装置１において、インスリン等の薬液を使用者の体内に投与する際の手順を説明する。
先ず、使用者は、注射器で薬液を吸引する。次いで、薬液投与装置１をひっくり返した後、図９（Ａ）に示すように、充填口４２６に注射針を刺し込み、薬液容器４内に薬液を充填する。薬液容器４内に充填された薬液は、軟質部４１を押し下げ、当該軟質部４１を徐々に下方に変形させる。これにより、薬液容器４内の薬液収容空間４０の体積が増加するため、薬液容器４の内圧が所定値以下に維持される。
【００３２】
ここで、薬液収容空間４０や充填される薬液中には、気泡が含まれていることがある。この場合でも、充填口４２６が流出口４４１よりも下方に位置しているため、充填口４２６から充填された薬液で気泡を上方の流出口４４１に向けて押し出すことができ、当該気泡が流出口４４１から外部に抜けやすくなる。また、凹部４２１の側面４２５が曲面状に形成されるとともに、流出口４４１の周囲には、当該流出口４４１に向かって上方に傾斜した傾斜面４２８を有する窪み４２３が設けられている。このため、気泡を側面４２５や窪み４２３の傾斜面４２８に沿って流出口４４１に案内することができるとともに、窪み４２３を一時的な気泡貯まりとすることができる。
【００３３】
その後、薬液が規定量充填されると、図９（Ｂ)に示すように、各第２電極パッド４６２が２つの第２電極４６１に当接し、第２電極４６１間が通電する。制御部６は、当該通電を検知すると、規定量の薬液が充填されたことをブザーやランプ等の図示しない報知手段で使用者に報知する。それにもかかわらず、さらに薬液を充填し続けると、図９（Ｃ）に示すように、軟質部４１が第１電極収容部４３３内に入り込むことで、第１電極パッド４５２が２つの第１電極４５１に当接し、第１電極４５１間が通電する。制御部６は、当該通電を検知すると、薬液が過充填されたことを報知手段で使用者に報知する。
【００３４】
薬液容器４への薬液の充填が完了したら、使用者は、薬液投与装置１を皮膚に貼付し、穿刺部３で針等を皮膚に穿刺した後、図示しない操作機器により、薬液の投与量、投与速度等を設定する。そして、使用者が操作機器を介して薬液の投与開始操作を行うと、制御部６が薬液ポンプ５を制御し、回動モータ５８１が出力軸５８２を一方の回転方向に回転させる。これにより、ピストン５５が接続路５３から離間して接続路５３内が負圧状態となるため、図８（Ｂ）に示すように、第１逆止弁５６の傘部５６２が第１弁座７１１から離れて当該第１逆止弁５６が開き、薬液が接続路５３に流れ込む。次いで、回動モータ５８１が出力軸５８２を他方の回転方向に回転させ、ピストン５５を接続路５３に接近させると、接続路５３内が加圧状態となるため、図８（Ｂ）に示すように、第２逆止弁５７が開き、接続路５３内の薬液が薬液送出路５２に送出される。これにより、所定量の薬液が穿刺部３から使用者の体内に投与される。
【００３５】
ここで、各弁座７１１、７３１には、図８（Ａ）に示すように、傘部５６２、５７２の下面５６３、５７３に倣う傾斜面７１４、７３４を有する突状部７１３、７３３が設けられている。このため、各逆止弁５６、５７が閉じている状態で、各傘部５６２、５７２と各弁座７１１、７３１との間の空間を小さくすることができ、いわゆるデッドボリュームを低減することができる。従って、薬液ポンプ５内に気泡が残留することを極力排除することができるので、操作機器で設定された所定量の薬液を確実に送出することができ、薬液ポンプ５からの薬液の送出量の精度を向上させることができる。
【００３６】
その後も薬液ポンプ５により薬液が送出されると、規定量の薬液が収容された図１０（Ａ）に示す状態から、薬液容器４内の薬液が減少し、軟質部４１が徐々に下方に変形する。これにより、薬液容器４内の薬液収容空間４０の体積が減少するため、薬液容器４の内圧が所定値以上に維持される。そして、薬液容器４内の薬液が残り少なくなると、軟質部４１が硬質部４２の凹部４２１内に落ち込み、図１０（Ｂ）に示すように、凹部４２１の底面４２２に当接し始める。この場合でも、複数の突出部４４２が流出口４４１の周囲に設けられているため、突出部４４２で軟質部４１を流出口４４１から浮かせた状態にすることができ、軟質部４１が流出口４４１を塞いでしまうことを防止することができる。これにより、残りの薬液を突出部４４２間の溝から流出口４４１に導くことができる。また、流出口４４１が硬質部４２に設けられているため、流出口４４１がつぶれてしまうことを防止することができる。従って、薬液容器４内の薬液がなくなるまで、薬液を確実に送出し続けることができる。
【００３７】
以上の本実施形態によれば、次のような効果がある。
すなわち、薬液ポンプ５において、第１逆止弁５６と第２逆止弁５７とで区画された接続路５３に連通するシリンダ５４内にピストン５５を摺動自在に設け、当該ピストン５５を移動させることで薬液を送出するため、ピストン５５の移動量だけ薬液を送出することができる。また、第１逆止弁５６および第２逆止弁５７を傘状弁とし、その弁座７１１、７３１に傘部５６２、５７２の下面５６３、５７３に臨む突状部７１３、７３３を設けたため、傘部５６２、５７２と各弁座７１１、７３１との間のデッドボリュームを低減することができる。従って、薬液ポンプ５からの薬液の送出量の精度を向上させることができる。
【００３８】
また、突状部７１３、７３３が傘部５６２、５７２の下面５６３、５７３に倣う傾斜面７１４、７３４を有しているため、径方向に渡って突状部７１３、７３３に傘部５６２、５７２を当接させることができ、傘部５６２、５７２と各弁座７１１、７３１との間のデッドボリュームをより低減することができる。
【００３９】
さらに、突状部７１３、７３３が傘部５６２、５７２に沿った環状に形成されているため、周方向に渡って突状部７１３、７３３に傘部５６２、５７２を当接させることができ、傘部５６２、５７２と各弁座７１１、７３１との間のデッドボリュームをさらに低減することができる。
【００４０】
なお、本発明は前述の実施形態に限定されるものではなく、本発明の目的を達成できる範囲での変形、改良等は本発明に含まれるものである。
例えば、薬液容器４において、軟質部４１は、薬液の増減に合わせて薬液収容空間４０の容積させることができれば、任意の材料で形成することができる。
硬質部４２は、流出口４４１に気泡を案内できる形状であれば、前記実施形態のものに限らない。例えば、底面４２２が流出口４４１に向かって傾斜した形状としてもよいし、側面４２５を対向する側面４２５同士の間隔が底面４２２に向かうに従って狭くなる直線状に形成してもよい。
カバー部４３は、前記実施形態のものに限らず、例えば、軟質部４１の上方のみを覆うように形成したり、側面４３５を角筒状に形成したりしてもよい。
送液部４４は、硬質部４２の嵌合孔４２４に嵌合させる構成でなくてもよく、射出成形、押出成形、ブロー成形等で硬質部４２と一体成形してもよい。
過充填検知部４５および満充填検知部４６は、過充填または満充填を検知可能な任意の構成を採用することができる。例えば、リミットスイッチや圧電素子が採用でき、軟質部４１がリミットスイッチまたは圧電素子を押圧したときの電位変化により、過充填または満充填を検知するようにしてもよい。また、各電極パッド４５２、４６２は、軟質部４１に設けられていなくてもよく、例えば、カバー部４３で各電極パッド４５２、４６２を各電極４５１、４６１に対して近接離間可能に支持してもよい。
【００４１】
薬液ポンプ５では、図１１（Ａ）および図１１（Ｂ）に示すように、第１弁座７１１および第２弁座７３１に突状部としての複数の突起７１５、７３５を設け、当該複数の突起７１５、７３５を傘部５６２、５７２に沿って環状に配置してもよい。この際、各突起７１５、７３５を各弁座７１１、７３１における傘部５６２、５７２の基端近傍の位置に、すなわち各弁座７１１、７３１の凹部７１２の外縁部に設ければ、傘部５６２、５７２と弁座７１１、７３１との間のデッドボリュームを効果的に低減することができる。
また、突起７１５、７３５を各弁座７１１、７３１の凹部７１２の外縁部に沿って連続した環状に形成してもよい。
さらに、ピストン５５は、駆動部５８以外の駆動機器で駆動してもよいし、手動で駆動してもよい。
さらに、第１逆止弁５６および第２逆止弁５７の一方が、リフト式やボール式等の他の種類の逆止弁であってもよい。
【００４２】
投与に用いる薬液としては、任意のものを使用することができ、例えば、インスリン、各種ホルモン、モルヒネ等の鎮痛薬、抗炎症剤等を使用することができる。
【産業上の利用可能性】
【００４３】
本発明は、使用者に薬液を投与する薬液投与装置に利用できる他、他の医療用ポンプおよび当該医療用ポンプを備えた医療器具に利用できる。
【符号の説明】
【００４４】
１      薬液投与装置
４      薬液容器
５      薬液ポンプ
５１    薬液流入路
５２    薬液送出路
５３    接続路
５４    シリンダ
５５    ピストン
５６    第１逆止弁（傘状弁）
５６２  傘部
５７    第２逆止弁（傘状弁）
５７２  傘部
７１１  第１弁座（弁座）
７１３  突状部
７１４  傾斜面
７３１  第２弁座（弁座）
７３３  突状部
７３４  傾斜面
【図１】
2014200352.tif 000003
【図２】
2014200352.tif 000004
【図３】
2014200352.tif 000005
【図４】
2014200352.tif 000006
【図５】
2014200352.tif 000007
【図６】
2014200352.tif 000008
【図７】
2014200352.tif 000009
【図８】
2014200352.tif 000010
【図９】
2014200352.tif 000011
【図１０】
2014200352.tif 000012
【図１１】
2014200352.tif 000013